(57)【要約】　　　（修正有）【課題】少なくとも一つのクリップを有する一体化管継手を含むカバ−を有する密閉シ−リング圧縮機アッセンブリを提供する。【解決手段】ハウジング、ハウジングの中に配置された電動機、ハウジングの中に配置され、モータへ動作的に結合された圧縮機構、およびハウジングへ取り付けられたカバーを含み、さらに少なくとも１つのクリップを有する一体化管継手を含む密閉シーリング圧縮機アセンブリ。クリップの構造および配列は、圧縮機アセンブリへ電気的に接続される導管がカバーへ入り、クリップが導管とかみ合って、導管の脱出を防止するようになっている。【選択図】図６
2004132369.tif 000002
【特許請求の範囲】
【請求項１】
　密閉シーリング圧縮機アセンブリであって、
　ハウジングと、
　前記ハウジングの中に配置された電動機と、
　前記ハウジングの中に配置され、前記モータへ動作的に結合された圧縮機構と、
　前記ハウジングへ取り付けられたカバーとを含み、
　前記カバーは少なくとも１つのクリップを有する一体化管継手を含み、前記クリップの構造および配列は、前記圧縮機アセンブリへ電気的に接続される導管が前記カバーへ入り、前記クリップが導管とかみ合って、導管の脱出を防止するようになっている
　圧縮機アセンブリ。
【請求項２】
　前記クリップが一対のクリップ片方部分を含み、各々の前記クリップ片方部分が斜角クリップ面を含み、導管がカバーの中へ進入するとき、前記斜角クリップ面が前記カバーによって外側へ押される、請求項１に記載の圧縮機アセンブリ。
【請求項３】
　前記クリップ片方部分が、さらに内側に対面するクリップ面を含み、前記内側に対面するクリップ面が導管の外面とかみ合い、導管が進入した後に導管の脱出を防止する、請求項２に記載の圧縮機アセンブリ。
【請求項４】
　前記内側に対面するクリップ面が、前記斜角クリップ面と対向する前記クリップ片方部分の上に配置される、請求項３に記載の圧縮機アセンブリ。
【請求項５】
　　前記斜角面が、導管の進入方向と実質的に対面する、請求項２に記載の圧縮機アセンブリ。
【請求項６】
　前記クリップ片方部分が、前記カバーの中に開口を部分的に画定し、前記開口が導管を受け取る、請求項２に記載の圧縮機アセンブリ。
【請求項７】
　前記ハウジングが導管を受け取るアパーチャを画定し、前記カバー内の前記開口と前記アパーチャとが整列される、請求項６に記載の圧縮機アセンブリ。
【請求項８】
　前記クリップが内側に対面するクリップ面を含み、前記内側に対面するクリップ面が導管の外面とかみ合って、カバーからの導管の脱出を防止する、請求項１に記載の圧縮機アセンブリ。
【請求項９】
　　前記カバーが射出成形される、請求項１に記載の圧縮機アセンブリ。
【請求項１０】
　　前記クリップが前記カバーへ弾力的に取り付けられ、前記クリップが揺動可能である、請求項１に記載の圧縮機アセンブリ。
【請求項１１】
　前記ハウジングが導管を受け取るアパーチャを画定し、前記クリップが前記アパーチャと整列され、それによって前記カバーおよび前記ハウジングへの導管の進入が容易になる、請求項１に記載の圧縮機アセンブリ。
【請求項１２】
　密閉圧縮機アセンブリであって、
　ハウジングと、
　前記ハウジングの中に配置された電動機と、
　前記ハウジングの中に配置され、前記モータへ動作的に結合された圧縮機構と、
　前記圧縮機アセンブリと電気的に連絡する電気導管と、
　前記圧縮機のシェルの外部に取り付けられ、前記電気導管を受け取るターミナルカバーとを含み、
　前記ターミナルカバーは、前記カバーの中に一体化管継手を含み、少なくとも一対のクリップが前記一体化管継手の中に固定され、前記クリップの構造および配列は、前記電気導管が前記ターミナルカバーの中に保持されるようになっている
　密閉圧縮機アセンブリ。
【請求項１３】
　前記クリップが斜角クリップ面を含み、前記導管が前記ターミナルカバーの中へ入る間に、前記斜角クリップ面が外側へ押される、請求項１２に記載の密閉圧縮機アセンブリ。
【請求項１４】
　前記クリップが、さらに内側に対面するクリップ面を含み、前記導管が前記ターミナルカバーへ入った後、前記内側に対面するクリップ面が前記導管の前記外面とかみ合う、請求項１３に記載の密閉圧縮機アセンブリ。
【請求項１５】
　　前記内側に対面するクリップ面が、前記斜角クリップ面と対向する前記クリップ片方部分の上に配置される、請求項１４に記載の密閉圧縮機アセンブリ。
【請求項１６】
　前記斜角面が、導管の進入方向と実質的に対面する、請求項１３に記載の密閉圧縮機アセンブリ。
【請求項１７】
　密閉シーリング圧縮機アセンブリであって、
　ハウジングと、
　前記ハウジングの中に配置された電動機と、
　前記ハウジングの中に配置され、前記モータへ動作的に結合された圧縮機構と、
　前記ハウジングへ取り付けられたカバーとを含み、
　前記カバーは電気導管を前記カバーの中に保持する手段を含み、該保持手段は前記カバーと一体化されている
　圧縮機アセンブリ
【請求項１８】
　前記手段が電気導管とかみ合わない第１の状態、および前記手段が電気導管とかみ合う第２の状態を、前記手段が有する、請求項１７に記載の圧縮機アセンブリ。
【請求項１９】
　　前記第２の状態にある前記手段が、前記カバーからの導管の脱出を防止する、請求項１８に記載の圧縮機アセンブリ。
【請求項２０】
　　前記保持手段が前記第２の状態にあるとき、電気導管が、前記保持手段によって、前記カバーから除去されるのを防止される、請求項１８に記載の圧縮機アセンブリ。
【発明の詳細な説明】
【技術分野】
【０００１】
　本発明は、圧縮アセンブリに関し、具体的には、電気接続を密閉圧縮機アセンブリへ提供することに関する。
【背景技術】
【０００２】
　圧縮機または圧縮機アセンブリを運転するため、電気接続を圧縮機へ設けることは良く知られている。圧縮機の従来のターミナルカバーは、管継手を連結するためカバーの中に開けられた貫通孔を利用し、管継手は電源用の電線を含む導管を受け取るために使用された。そのようなターミナルカバーが、普通に使用されているが、カバーおよび導管のほかに他の管継手を使用することが必要であり、導管および圧縮機を連結するために多数の部品を必要とした。多数の部品の必要性は、さらに、連結を完了するための追加の時間を必要とした。なぜなら、貫通孔をカバーの中に開け、管継手をカバーへ連結し、カバーを圧縮機へ連結し、最後に、導管を管継手およびカバーへ通して圧縮機へ連結しなければならないからである。このように、従来のターミナルカバーは、使用および実施の点で問題があることを証明した。
【０００３】
　カバーは、圧縮機に独自のものではない。むしろ、カバーは多くの異なった電気装置に必要である。特に、外部電源への電気接続を含む電気装置に必要である。そのようなカバーは、電気装置の通常の使用の間に電気接続が破断されないように、カバーの中へ挿入されたケーブルまたは導管を安全に保持する機構を含む。幾つかの従来の機構は、ケーブルを把持するための突起、フランジ、またはアームを有するケーブル保持機構を含む（米国特許第４，３６６，３４３号、第４，３８９，５３５号、第４，４１４，４２７号、第４，４２４，４０６号、第４，９７２，０４４号、および第６，２７８，０６１号）。他の従来の機構は、ケーブルまたは導管を連結するためのメスおよびオス部分またはメスおよびオス受け取り部分、またはケーブルまたは導管の２つの部分を有するコードコネクタを含む（米国特許第５，４２２，４３７号および第５，７７２，４６２号）。これらの従来の機構は電気接続を提供したが、各々の従来の機構はカバーアセンブリの別個の構成部品であって、電気装置から脱落するか、故障するか、修理または取り替えを必要とした。さらに、そのような機構は迅速な接続を提供せず、機構は圧縮機へ物理的に取り付けられ、続いて導管またはケーブルが挿入および固定されなければならず、したがって電気接続のために多くの時間および労力を必要とした。
【０００４】
　多くの部品を必要とせず、別個の構成部品ではなく、導管を圧縮機へ迅速に連結する圧縮機のターミナルカバーが必要であろう。
【発明の開示】
【発明が解決しようとする課題】
【０００５】
　従来の圧縮機電気カバーアセンブリの前述した欠点は、一体化管継手を含む成形カバーであって、一体化管継手が、圧縮機へ連結されるためカバーへ挿入された導管の外面とかみ合う一対の弾力性クリップを有するカバーを提供することによって克服される。クリップの構造および配列は、導管が比較的容易にカバーへ入ることができ、クリップが導管の外面とかみ合うために、導管がカバーから落下または抜き出しまたは除去されないようにされる。
【０００６】
　本発明は、ハウジング、ハウジングの中に配置された電動機、ハウジングの中に配置されてモータへ動作的に結合された圧縮機構、およびハウジングへ取り付けられたカバーであって、少なくとも１つのクリップを有する一体化管継手を含むカバーを有する密閉シーリング圧縮機アセンブリを提供する。クリップの構造および配列は、圧縮機アセンブリへ電気的に接続される導管がカバーの中へ入り、クリップが導管とかみ合って導管の脱出を防止するようになっている。
【０００７】
　本発明は、さらに、ハウジング、ハウジングの中に配置された電動機、ハウジングの中に配置されてモータへ動作的に結合された圧縮機構、圧縮機アセンブリと電気的に連絡する電気導管、および圧縮機アセンブリのハウジングの外部に取り付けられて電気導管を受け取るターミナルカバーを含む密閉圧縮機アセンブリを提供する。ターミナルカバーは、一体化管継手をカバーの中に含み、少なくとも一対のクリップが一体化管継手に固定され、クリップの構造および配列は、電気導管がターミナルカバーの中に保持されるようになっている。
【０００８】
　本発明は、さらに、ハウジング、ハウジングの中に配置された電動機、ハウジングの中に配置されてモータへ動作的に結合された圧縮機構、およびハウジングへ取り付けられて電気導管をカバーの中に保持する手段を含み、前記保持する手段がカバーと一体化された密閉シーリング圧縮機アセンブリを提供する。
【０００９】
　本発明の前記および他の特徴および目的は、添付の図面と組み合わせて本発明の実施形態の以下の説明を参照することによって、より明瞭となり、また本発明自身も、より良く理解されるであろう。
【００１０】
　対応する参照文字は、幾つかの図面を通して対応する部品を示す。ここで示される例は、本発明の実施形態を示すが、そのような例は、いかなる場合でも本発明の範囲を限定するものと解釈されてはならない。
【発明を実施するための最良の形態】
【００１１】
　本発明の原理の理解を増進するため、今から図面に示された実施形態を参照し、実施形態を説明するために特別の用語を使用する。しかし、それによって本発明の範囲の限定が意図されると理解されてはならない。
【００１２】
　図１および図２を参照すると、本発明が有利に使用されてよい密閉圧縮機アセンブリの型の例として、往復圧縮機アセンブリ２０および回転圧縮機アセンブリ２２が示される。他の密閉圧縮機の型、たとえば、スクロール圧縮機アセンブリも、本発明の使用から利益を得るであろう。
【００１３】
　熱交換器、膨張装置、および冷媒運搬ラインを含む冷凍システム（図示されていない）の一部分であってよい圧縮機アセンブリは、実質的に吸込圧力で冷媒を受け取り、実質的に吐出し圧力でそれを吐き出す。圧縮機アセンブリは、モータが置かれているハウジング部分が吐出し圧力にある「高圧側」型であるか、モータが置かれているハウジング部分が吸込圧力にある「低圧側」型であってよい。本発明は、高圧側または低圧側のいずれにおいても有利に使用される。
【００１４】
　往復圧縮機アセンブリ２０（図１）は、ハウジング２４を含む。ハウジング２４は、下方ハウジング部分２８の上に配置された上方ハウジング部分２６を含む。往復圧縮機アセンブリ２０は低圧側型であり、運転中に、冷媒ガスは先ずハウジング２４の中へ引き込まれ、次に圧縮機構４６の中へ入り、次に圧縮されたガスは、吐出し管またはショックループ５０を介して圧縮機構およびハウジングから直接吐き出され、冷凍システムを通って再循環される。
【００１５】
　回転圧縮機アセンブリ２２のハウジング２４は、主ハウジング部分３０および２つの端部３２を含む（図２）。回転圧縮機アセンブリ２２は高圧側型であり、運転中に、冷媒ガスは、吸込み管（図示されていない）を介して、ハウジング２４の外側から圧縮機構４６の中へ直接引き込まれる。圧縮機構４６の中で、ガスは、より高い吐出し圧力へ圧縮され、次に圧縮機構からハウジング２４の中へ吐き出される。その後で、圧縮されたガスは、吐出し管５０を通ってハウジングから排出され、冷凍システム（図示されていない）を通って再循環される。
【００１６】
　双方の圧縮機アセンブリ２０および２２のハウジング部分は、たとえば溶接、ろう付けなどの方法によって３４で密閉式にシーリングされる。密閉圧縮機アセンブリ２０および２２の各々は、ハウジング２４の内部に配置された電動機３６を含む。電動機３６は、巻線４０を設けられた固定子３８、および固定子３８によって取り囲まれた回転子４２を含む。回転子４２は中央アパーチャ４８を有し、その中に、駆動シャフトまたはクランクシャフト４４が締まりばめによって固定される。
【００１７】
　図示されるように、駆動シャフト４４の端は、圧縮機構４６へ動作的に連結される。圧縮機構４６は、圧縮機アセンブリ２０のように往復ピストン型であるか、圧縮機アセンブリ２２のように回転型であるか、スクロール型（図示されていない）であってよい。これらの各々は当技術分野で良く知られている。往復圧縮機アセンブリの一般的な構造および動作は、米国特許第５，２６６，０１６号で開示される。この特許の完全な開示は、参照してここで明白に組み込まれる。回転圧縮機アセンブリの一般的な構造および動作は、米国特許第５，２２２，８８５号に開示される。この特許の完全な開示は、参照してここで明白に組み込まれる。スクロール圧縮機アセンブリの一般的な構造および動作は、米国特許第５，３０６，１２６号に開示される。この特許の完全な開示は、参照してここで明白に組み込まれる。これらの特許の各々は、本発明の譲受人であるＴｅｃｕｍｓｅｈ　Ｐｒｏｄｕｃｔｓ　Ｃｏｍｐａｎｙへ譲渡されている。
【００１８】
　低圧側往復圧縮機２０（図１）の下方ハウジング部分２８、および高圧側回転圧縮機２２（図２）の端部３２の１つに、アパーチャが存在し、ターミナルアセンブリ５２が、溶接またはろう付けなどによって前記アパーチャの中へはめ込まれ、シーリング式に固定される。前述した様式では、外部電源（図示されていない）がターミナルアセンブリ５２の導体ピンへ電気的に接続される。導体ピンは、クラスタブロックアセンブリ５４およびジャケットリード線５６を介して固定子巻線４０へ接続される。
【００１９】
　ここで図３を参照すると、圧縮機アセンブリ２０および２２が、導管対応型ターミナルカバー５８を含むように示される。ターミナルカバー５８は、ハウジング２４へ取り付けられ、電気接続を保護するための導管７０（図５）が、ターミナルカバー５８の中へ挿入される。前述したように、圧縮機アセンブリ２０および２２は、回転圧縮機アセンブリまたは往復圧縮機アセンブリであってよい。代替的に、圧縮機アセンブリは、スクロール圧縮機アセンブリであってよい。
【００２０】
　図４で示されるように、導管対応型ターミナルカバー５８は、主本体部分６０を含む。主本体部分６０は、その側面に孔６２を含む。孔６２は、ボルトまたは他の装置（図示されていない）によって、圧縮機アセンブリ２０および２２のハウジング２４（図１）へターミナルカバー５８を固定するための孔である。本体６０は、さらに、第２の円形区域６４を含む。円形区域６４は、電気接続およびその貯蔵のために使用されてよい。
【００２１】
　カバー５８の面６６は、孔６２とは反対側に配置され、面６６の上には、管継手６８が一体的に形成される。導管７０（図５）は、圧縮機アセンブリ２０および２２へ電気接続を行うため管継手６８の中へ挿入される。管継手６８は、導管７０をターミナルカバー５８へ安定に取り付けるため一対の一体化クリップ７２を含み、さらに導管７０を案内して、クリップ７２が導管７０とかみ合うようにするために使用される円周面７４を含む。図５に関して、導管７０は、管継手６８の中へ挿入され、そこから伸びるように示される。
【００２２】
　一体化クリップ７２は弾力性があり、アーム部分８２および延長部分７６を含む。延長部分７６は、図６で示されるように、導管７０の外部とかみ合う。延長部分７６の各々は、斜面７８および平坦面８４を含む。平坦面８４は、斜面７８の反対側またはクリップ７２の後方に配置される。そのような構造によって、クリップ７２は導管７０とかみ合い、導管７０が管継手６８の中へ挿入されても、そこから容易に引き出されない。特に、導管７０は円形部分８６の間に溝８０を含む。溝８０は、単一のらせん溝の一部分または別々になった波形であってよく、クリップ７２、特に延長部分７６は、溝８０の中に受け取られることができる。クリップ７２は溝８０の中に受け取られるので、クリップ７２は、図６で示されるように、溝と対応するように少しオフセットされるか、導管７０が単一のらせん溝を利用しない場合には、相互に直接向き合ってよい。
【００２３】
　斜面７８の使用によって、導管７０は管継手６８の中へ挿入され、クリップ７２は、所望の位置が得られるまで、それぞれの円形部分８６の上を滑り、溝８０へ入ったり出たりする。しかし、もし導管７０が挿入方向とは反対の方向へ引かれると、延長部分７６の面８４は、斜面７８とは異なり、円形部分８６の上の滑って溝８０へ入る同じ動作を容易にすることはできない。むしろ、面８４は、類似の滑り動作を防止し、それによって導管７０が管継手６８から引き出されるのを防止する。面６６は、さらに、アパーチャ８８を含み、導管７０の中に配置された線（図示されていない）は、圧縮機アセンブリ２０および２２内の電気接続のために、アパーチャ８８を通って挿入されてよい。
【００２４】
　クリップ７２は弾力性があるから、導管７０が挿入されるとき、各々のクリップ部分７２は、延長部分７６が導管の円形部分８６の上を滑り、溝８０の中へ入ったり出たりするときに揺動するか、つめ車のように作用することができる。
【００２５】
　導管７０は円形部分８６および溝８０を有するように示されたが、他の型の導管も、管継手６８およびクリップ７２と一緒に利用されてよい。クリップ７２の延長部分７６は管継手６８の面７４の内側へ伸びているので、導管７０の直径が、クリップ７２の各々のクリップ部分の間の距離よりも非常に小さくなければ、クリップ７２、特に延長部分７６は、管継手６８の中へ挿入される導管７０を掴むであろう。したがって、ＰＶＣ導管または他の滑らかな導管も、この構造に適合する。
【００２６】
　さらに注意すべきは、ターミナルカバー５８は、圧縮機アセンブリ２０のハウジング２４のトップ部分へ取り付けられるように示されたが、カバー５８は、代替的に、導管７０の挿入、および圧縮機アセンブリ２０に必要な電気接続の提供に最も便利なロケーションに取り付けられてよい。さらに、ターミナルカバー５８の形状は、各々の圧縮機応用例で必要なサイズおよび容量またはパッケージ要件に従って変更されてよい。
【００２７】
　本発明は例示的構造を有するものとして説明されたので、本発明は、この開示の趣旨および範囲の中で、さらに修正されることができる。したがって、本願は、本発明の一般的な原理を使用する本発明の変形、使用、または改作をカバーするように意図される。さらに、本願は、この開示からの発展であって、本発明が関連し、添付の請求項の制限の中に入るような当技術分野の既知または通常の実施である発展を包括するように意図される。
【図面の簡単な説明】
【００２８】
【図１】本発明が使用されてよい往復ピストン圧縮機アセンブリの長手方向断面図である。
【図２】本発明が使用されてよい回転圧縮機アセンブリの長手方向断面図である。
【図３】本発明に従ったカバーを外部に取り付けられた圧縮機の斜視図である。
【図４】圧縮機から取り外された図３のカバーを上方から見た斜視図である。
【図５】伸びた導管を有する図４のカバーの一部分の拡大図である。
【図６】図５の線６−６に沿って取られたカバーおよび導管の断面図である。
【図１】
2004132369.tif 000003
【図２】
2004132369.tif 000004
【図３】
2004132369.tif 000005
【図４】
2004132369.tif 000006
【図５】
2004132369.tif 000007
【図６】
2004132369.tif 000008